(57)【要約】【課題】音質の切り換え状態が容易に確認できる耳掛け型イヤホンを提供すること。【解決手段】フック３によってイヤホン本体２を耳に装着する耳掛け型イヤホン１であって、内部にスピーカユニット８を収容したハウジング４，５の一部に音質切り替え用の貫通穴５ｂを設け、シーソースイッチ１３の両端の押釦部１３ｂ，１３ｃの押下で貫通穴５ｂの開閉を切り替えることにより、密閉型または非密閉型の音質切り換えを行う耳掛け型イヤホン１において、シーソースイッチ１３の両端の押釦部１３ｂ，１３ｃのサイズを異ならしめるように構成した。【選択図】図２
0003114580.tif 000002
【実用新案登録請求の範囲】
【請求項１】
フックによってイヤホン本体を耳に装着する耳掛け型イヤホンであって、内部にスピーカユニットを収容したハウジングの一部に音質切り替え用の貫通穴を設け、シーソースイッチの両端の押釦部の押下で前記貫通穴の開閉を切り替えることにより、密閉型または非密閉型の音質切り換えを行う耳掛け型イヤホンにおいて、
前記シーソースイッチの両端の押釦部のサイズを異ならしめるように構成した
ことを特徴とする耳掛け型イヤホン。
【請求項２】
請求項１記載の耳掛け型イヤホンにおいて、
前記両端の押釦部の一方に、突起が設けられている
ことを特徴とする耳掛け型イヤホン。
【考案の詳細な説明】
【技術分野】
【０００１】
本考案は、耳掛け型イヤホンに関し、特に、音質の切り替えが容易な耳掛け型イヤホンに関する。
【背景技術】
【０００２】
音質に優れ、音楽鑑賞などに使用される頭部装着型ヘッドホンや耳掛け型ヘッドホンの中には、音質の調整が可能なものがある。頭部装着型ヘッドホンは、合成樹脂等の成形品からなるハウジングの片側周辺部分に、内部にスピーカを配置し、ウレタン等のクッション材を入れたパッドを取り付けた構造の左右のスピーカユニットをヘッドバンドで結合している。また、耳掛け型イヤホンは、左右のスピーカユニットを、耳の形状に合わせたフックで別個に左右の耳に掛けて使用する構造を有する。
【０００３】
頭部装着型ヘッドホンや耳掛け型ヘッドホンで再生される音の再生周波数のうち、特に低域、それも重低音領域の音を考えると、ハウジング内部を密閉構造とした場合と、その一部に外部との連通孔を設けた場合とで、発生音圧レベルに相違があることが究明されている。そこで、ハウジングの外部に連通する孔を設け、この孔を音楽の種類あるいは鑑賞者の好みに合わせて開閉する機構が考えられ、実用化されている。
【０００４】
従来のヘッドホンの音質切替機構として、実開平５−１８１９３号公報に開示されているものがある。
【０００５】
図６は、上述の公開公報に開示されているヘッドホンの音質切換機構を示す断面図である。同図において、ハウジング１０１の内部には、スピーカ部（スピーカユニット）１０２が収容されている。ハウジングの図示しない下方部分外周には、パッドが取り付けられて耳当て部が形成される。ハウジング１０１の一部は、凹部１０３に形成されており、ここに２つの突部１０４，１０５が所定間隔離して設けられ、それぞれの外周部には、金属製のリング１０６，１０７が装着されている。二つの突部１０４，１０５のうちの片方の突部１０５には、ハウジングの内外を連通する孔１０８が設けられている。シーソースイッチ１０９は、図示しない構造によりハウジング１０１に支持された軸１１０を中心にして回動するものである。このシーソースイッチ１０９の下面のハウジング１０１の突部１０４，１０５に対応する部分には、マグネット１１１，１１２が装着されている。シーソースイッチ１０９の両端部は、押釦部１１３，１１４に形成されており、使用者がこの部分を指で押すようになっている。
【０００６】
このような構成のヘッドホンでは、低域特性を変えようとする場合、シーソースイッチ１０９の押釦部１１３，１１４のいずれかを押してリング１０６とマグネット１１１、あるいはリング１０７とマグネット１１２を吸着させることになる。図示する状態は、リング１０７とマグネット１１２が吸着したところであり、蓋部材として機能するシーソースイッチ１０９により、ハウジング１０１に設けられた孔１０８が閉ざされたところである。この場合、ヘッドホンとしては、ハウジング１０１が密閉型となった状態の音を発することになる。
【０００７】
次に、シーソースイッチ１０９の押釦部１１３を押すと、今度はリング１０６とマグネット１１１が吸着し、マグネット１１２は、リング１０７から離脱する。これにより、ハウジング１０１の孔１０８は、外部に開口するので、ハウジング１０１は非密閉型となり、それに応じた音質の音を発生することになる。
【特許文献１】実開平５−１８１９３号公報
【考案の開示】
【考案が解決しようとする課題】
【０００８】
しかしながら、上述の構造のヘッドホンでは、孔１０８の開閉によって二通りの音質を得ることができるが、シーソースイッチ１０９の押釦部１１３，１１４の形状が同じになっており、どちらの押釦部が押されているか、音質の切り替え状態が外観からは判断しにくい。そのため、頭部にヘッドホンを装着した状態で押釦部１１３と押釦部１１４を交互に押して聞こえる音を比較しないと、非密閉型の音を聞いているのかそれとも密閉型の音を聞いているのかが分からないという問題があった。
【０００９】
そこで、本考案の目的は、上述の課題に鑑みて、音質の切り換え状態が容易に確認できる耳掛け型イヤホンを提供することにある。
【課題を解決するための手段】
【００１０】
上記課題を解決するためになされた請求項１記載の考案は、フックによってイヤホン本体を耳に装着する耳掛け型イヤホンであって、内部にスピーカユニットを収容したハウジングの一部に音質切り替え用の貫通穴を設け、シーソースイッチの両端の押釦部の押下で前記貫通穴の開閉を切り替えることにより、密閉型または非密閉型の音質切り換えを行う耳掛け型イヤホンにおいて、前記シーソースイッチの両端の押釦部のサイズを異ならしめるように構成したことを特徴とする。
【００１１】
上記課題を解決するためになされた請求項２記載の考案は、請求項１記載の耳掛け型イヤホンにおいて、前記両端の押釦部の一方に、突起が設けられていることを特徴とする。
【考案の効果】
【００１２】
請求項１記載の考案によれば、シーソースイッチの両端の押釦部のサイズを異ならしめるように構成しているので、指で触った際にサイズの違いによりどちらの押釦部かを認識することができ、その認識にしたがって、密閉型または非密閉型の音質の切り換え状態が容易に確認できる。
【００１３】
請求項２記載の考案によれば、請求項１記載の耳掛け型イヤホンにおいて、両端の押釦部の一方に、突起が設けられているので、密閉型または非密閉型の音質の切り換え状態の確認がさらに容易になる。
【考案を実施するための最良の形態】
【００１４】
以下、本考案の最良の形態を図面に基づいて説明する。図１〜図５は、本考案の最良の形態に係る耳掛け型イヤホンの構成を示す図であり、図１は斜視図、図２は分解斜視図、図３（Ａ）、（Ｂ）はそれぞれ正面図およびＸ−Ｘ線断面図、図４（Ａ）、（Ｂ）は、それぞれ、音質切り替え操作を説明する外観図、図５（Ａ）、（Ｂ）は、それぞれ、音質切り替え操作を説明する断面図である。
【００１５】
耳掛け型イヤホン１は、イヤホン本体２と、イヤホン本体２に取り付けられた耳掛け用のフック３とから構成されている。
【００１６】
イヤホン本体２は、第１ハウジング部材４と、このハウジング部材４に結合されてハウジングを構成する第２ハウジング部材５と、第２ハウジング部材５に取り付けられる装飾板６とからなる。
【００１７】
第１ハウジング部材４は、ほぼ円筒状に形成された合成樹脂の成形品であり、その中間で仕切り板７により仕切られた一方の凹部にスピーカユニット８が配置されると共に、他方の凹部４ａが開放されている。スピーカユニット８の前面には、音放出用の沢山の穴が空いた保護板１５が取り付けられている。また、第１ハウジング部材４には、保護板１５側を覆うように耳当て用のパッド９が取り付けられている。
【００１８】
第２ハウジング部材５は、ほぼ円盤状に形成された非磁性体金属、たとえばアルミからなり、その外周から突出して一体形成された取付部５ａに、フック３の一方の端部が所定角度だけ回動可能に取り付けられている。第２ハウジング部材５の一方の面には、貫通穴５ｂと、貫通穴５ｂの内周に嵌合固定されたリング状マグネット１０と、貫通穴５ｂから所定間隔をおいた位置に埋め込まれたリング状マグネット１１と、リング状マグネット１０および１１間に形成された長溝１２とが設けられている。
【００１９】
シーソースイッチ１３は、長溝１２に嵌合して支持された軸１３ａを中心として回動するものである。シーソースイッチ１３の下面のリング状マグネット１０および１１に対応する部分には円盤状の金属板１４が装着されている。このシーソースイッチ１３の両端部は、サイズの異なるお椀型の押釦部１３ｂおよび１３ｃが形成され、外観上ひょうたん型になっており、使用者がこの押釦部１３ｂおよび１３ｃのいずれかを押すようになっている。また、大きいサイズの押釦部１３ｃは、貫通穴５ｂおよびリング状マグネット１０の位置に対応しており、小さいサイズの押釦部１３ｂは、リング状マグネット１１の位置に対応している。さらに、大きいサイズの押釦部１３ｃのお椀型の真ん中には、突起１３ｄが設けられている。
【００２０】
貫通穴５ｂと、リング状マグネット１０，１１と、長溝１２と、シーソースイッチ１３は、音質切換機構を構成している。
【００２１】
装飾板６は、若干湾曲した円盤状に形成された合成樹脂の成形品であり、ひょうたん型の開口部６ａが形成され、第２ハウジング部材５に結合される。開口部６ａは、ひょうたん型の中間の細い部分でシーソースイッチ１３の軸１３ａを保持することにより、シーソースイッチ１３を突出させながら第２ハウジング部材５との間ではさみ止めている。
【００２２】
このように構成された耳掛け型イヤホン１は、その音質を上述の音質調整機構によって音楽の種類あるいは鑑賞者の好みに応じて切り替えることができる。以下、音質切り替え方法について説明する。
【００２３】
音質を変えようとする場合、シーソースイッチ１３の押釦部１３ｂ，１３ｃのいずれかを押して金属板１４とリング状マグネット１０または１１を吸着させることになる。
【００２４】
まず、図４（Ａ）に示すように押釦部１３ｃを押すと、図５（Ａ）に示すように、押釦部１３ｃの下部の金属板１４がリング状マグネット１０に吸着し、第２ハウジング部材５に設けられた貫通穴５ｂが閉ざされる。この場合、耳掛け型イヤホン１としては、ハウジングが密閉型となった状態の音を発することになる。すなわち、ハウジングの内部、すなわち、凹部４ａが密閉状態となり、スピーカユニット８の振動板の震えが低減し、薄く鋭いナチュラルな高音域が特徴的な音質が再現される。
【００２５】
次に、図４（Ｂ）に示すようにシーソースイッチ１３の押釦部１３ｂを押すと、図５（Ｂ）に示すように、押釦部１３ｂの下部の金属板１４がリング状マグネット１１に吸着すると共に、押釦部１３ｃの下部の金属板１４はリング状マグネット１０から離脱する。これにより、第２ハウジング部材５に設けられた貫通穴５ｂが矢印で示すように装飾板６の開口部６ａを介して外部に開口するので、ハウジングは非密閉型となり、それに応じた音質の音を発生することになる。すなわち、ハウジングの内部、すなわち、凹部４ａが非密閉状態となって外部に開放されることによって、スピーカユニット８の振動板が震え、重低音が特徴的な音質が再現される。
【００２６】
そして、耳掛け型イヤホン１をユーザーの耳に実際に掛けた状態で、指でシーソースイッチ１３を操作することにより音質切り換えを行うことができる。その際、シーソースイッチ１３の押釦部１３ｂおよび１３ｃは、サイズが異なっているので、指で触った際にサイズの違いによりどちらの押釦部かを認識することができ、その認識にしたがって、密閉型または非密閉型の音質の切り換え状態が容易に確認できる。
【００２７】
さらに、サイズの大きい押釦部１３ｃには、突起１３ｄが設けられているので、この突起１３ｄに指が触ることによって、どちらの押釦部かをさらに容易に認識することができ、その認識にしたがって、密閉型または非密閉型の音質の切り換え状態が容易に確認できる。
【００２８】
したがって、音質切換機構の状態を視認しなくても、密閉型になっているかまたは非密閉型になっているかの音質の切り換え状態が容易に確認できる。
【００２９】
以上の通り、本考案の最良の形態について説明したが、本考案はこれに限らず、種々の変形、応用が可能である。
【００３０】
たとえば、上述の最良の形態では、突起１３ｄは、サイズの大きい押釦部１３ｃ側に設けられているが、これに代えてサイズの小さい押釦部１３ｂ側に設けても良い。
【図面の簡単な説明】
【００３１】
【図１】本考案の最良の形態に係る耳掛け型イヤホンの構成を示す斜視図である。
【図２】本考案の最良の形態に係る耳掛け型イヤホンの構成を示す分解斜視図である。
【図３】（Ａ）、（Ｂ）は、それぞれ、本考案の最良の形態に係る耳掛け型イヤホンの構成を示す正面図およびＸ−Ｘ線断面図である。
【図４】（Ａ）、（Ｂ）は、それぞれ、音質切り替え操作を説明する外観図である。
【図５】（Ａ）、（Ｂ）は、それぞれ、音質切り替え操作を説明する断面図である。
【図６】従来のヘッドホンの音質切換機構を示す断面図である。
【符号の説明】
【００３２】
１  耳掛け型イヤホン
２  イヤホン本体
３  フック
４  第１ハウジング部材（ハウジングの一部）
５  第２ハウジング部材（ハウジングの一部）
５ｂ  貫通穴
８  スピーカユニット
１３  シーソースイッチ
１３ｂ  押釦部
１３ｃ  押釦部
１３ｄ  突起
【図１】
0003114580.tif 000003
【図２】
0003114580.tif 000004
【図３】
0003114580.tif 000005
【図４】
0003114580.tif 000006
【図５】
0003114580.tif 000007
【図６】
0003114580.tif 000008